(57)【特許請求の範囲】
【請求項１】
端末装置によるグループ通話を実現するＰｏＣグループセッションを行うために複数の被招待者の端末装置を一度に招待することができ、かつ、それぞれの被招待者に送信するＩＮＶＩＴＥメッセージにて、他に招待されている被招待者のアドレスを通知することができるＰｏＣ通信サーバ装置であって、ＰｏＣグループに含まれる端末装置に対応するユーザアドレスを、前記ＰｏＣグループに含まれる他の端末装置に対して通知するか非通知にするかの設定をＩＮＶＩＴＥメッセージの受信に応答して制御する手段を含み、前記制御する手段は、前記ＰｏＣグループに含まれる端末装置に対して、前記ＩＮＶＩＴＥメッセージにて、前記ＰｏＣグループに含まれる端末装置に対応するユーザアドレスについて非通知に設定するための非通知設定指令および他に招待されている被招待者のアドレスの非通知設定指令の少なくとも一方を送信することを特徴とするＰｏＣ通信サーバ装置。
【請求項２】
前記端末装置からＩＮＶＩＴＥメッセージを受信し、受信したＩＮＶＩＴＥメッセージに含まれている非通知設定有無に関する情報と自装置で管理している非通知設定有無に関する情報とに基づいて非通知設定条件に当てはまるか判定し、該条件に当てはまる場合には、ユーザアドレスを非通知に設定したＩＮＶＩＴＥメッセージを前記被招待者の端末装置に送信することを特徴とする請求項１記載のＰｏＣ通信サーバ装置。
【請求項３】
端末装置によるグループ通話を実現するＰｏＣグループセッションを行うために複数の被招待者の端末装置を一度に招待することができ、かつ、それぞれの被招待者に送信するＩＮＶＩＴＥメッセージにて、他に招待されている被招待者のアドレスを通知することができるＰｏＣ通信サーバ装置であって、前記ＰｏＣグループに含まれる端末装置に対応するユーザアドレスについて非通知にするための非通知指令を取得する非通知指令取得手段と、前記非通知指令取得手段が取得した前記非通知指令に係るユーザアドレスを前記ＰｏＣグループに含まれる他の端末装置に対して非通知に設定するための非通知設定指令を該他の端末装置に送信する非通知設定手段とを含み、前記ＰｏＣグループに含まれる端末装置に対して、前記ＩＮＶＩＴＥメッセージにて、前記ＰｏＣグループの招待者のアドレスの前記非通知設定指令および他に招待されている被招待者のアドレスの前記非通知設定指令の少なくとも一方を送信することを特徴とするＰｏＣ通信サーバ装置。
【請求項４】
前記ＰｏＣグループに含まれる端末装置それぞれのユーザアドレスが非通知に設定されているかどうかを示す非通知設定情報が複数の装置に跨って管理されている場合、前記非通知指令取得手段は、他の装置から前記非通知設定情報を含む前記非通知指令を取得することを特徴とする請求項３記載のＰｏＣ通信サーバ装置。
【請求項５】
前記非通知指令取得手段は、前記非通知指令を、非通知に設定することを希望する端末装置から前記ＰｏＣグループセッション開始前に、取得することを特徴とする請求項３又は４に記載のＰｏＣ通信サーバ装置。
【請求項６】
前記非通知指令取得手段は、前記非通知指令を、発信側の端末装置から前記ＰｏＣグループセッションの開始の際に、取得することを特徴とする請求項３又は４に記載のＰｏＣ通信サーバ装置。
【請求項７】
前記非通知指令取得手段は、前記非通知指令を、非通知に設定することを希望する端末装置から前記ＰｏＣグループセッションによる通信中に、取得することを特徴とする請求項３又は４に記載のＰｏＣ通信サーバ装置。
【請求項８】
複数の被招待者の端末装置を一度に招待でき、かつ、ＩＮＶＩＴＥメッセージにて、招待されている被招待者のアドレスを通知することが可能で、他の被招待者の端末装置と共にグループ通話を実現するＰｏＣグループセッションを行う端末装置であって、自端末または被招待者の端末装置のユーザアドレスを、前記ＰｏＣグループに含まれる他の端末装置に対して非通知にする非通知指令を送信する非通知指令送信手段を含み、前記ＩＮＶＩＴＥメッセージにて、前記ＰｏＣグループに含まれる端末装置に対応するユーザアドレスについて非通知に設定するための非通知設定指令および他に招待されている被招待者のアドレスの非通知設定指令の少なくとも一方を送信することを特徴とする端末装置。
【請求項９】
前記非通知指令送信手段は、前記非通知指令を、自装置が非通知に設定することを希望する端末装置である場合に前記ＰｏＣグループセッション開始前に、送信することを特徴とする請求項８記載の端末装置。
【請求項１０】
前記非通知指令送信手段は、前記非通知指令を、自装置が発信側の端末装置である場合に前記ＰｏＣグループセッションの開始の際に、送信することを特徴とする請求項８記載の端末装置。
【請求項１１】
前記非通知指令送信手段は、前記非通知指令を、自装置が非通知に設定することを希望する端末装置である場合に前記ＰｏＣグループセッションによる通信中に、送信することを特徴とする請求項８記載の端末装置。
【請求項１２】
他の被招待者の端末装置と共に一度に招待され、かつ、ＩＮＶＩＴＥメッセージにて、他に招待されている被招待者のアドレスの通知を授受でき、他の被招待者の端末装置と共にグループ通話を実現するＰｏＣグループセッションを行う端末装置であって、前記ＰｏＣグループに含まれる端末装置に対応するユーザアドレスについて非通知にする非通知設定指令を受信した場合、該ユーザアドレスについて非通知である旨を示す内容を自端末に表示する表示制御手段を含み、前記ＩＮＶＩＴＥメッセージにて、前記ＰｏＣグループに含まれる端末装置に対応するユーザアドレスについて非通知に設定するための非通知設定指令および他に招待されている被招待者のアドレスの非通知設定指令の少なくとも一方を受信することを特徴とする端末装置。
【請求項１３】
端末装置によるグループ通話を実現するＰｏＣグループセッションを行うために複数の被招待者の端末装置を一度に招待し、かつ、それぞれの被招待者に送信するＩＮＶＩＴＥメッセージにて、他に招待されている被招待者のアドレスを通知することができるＰｏＣ通信方法であって、前記ＰｏＣグループに含まれる端末装置に対応するユーザアドレスについて非通知にするための非通知指令をＰｏＣ通信サーバ装置が取得する非通知指令取得ステップと、前記非通知指令取得ステップにおいて取得した前記非通知指令に係るユーザアドレスを前記ＰｏＣグループに含まれる他の端末装置に対して非通知に設定するための非通知設定指令をＰｏＣ通信サーバ装置が前記他の端末装置に送信する非通知設定ステップとを含み、前記ＰｏＣグループに含まれる端末装置に対して、前記ＩＮＶＩＴＥメッセージにて、前記ＰｏＣグループの招待者のアドレスの前記非通知設定指令および他に招待されている被招待者のアドレスの前記非通知設定指令の少なくとも一方を送信することを特徴とするＰｏＣ通信方法。
【請求項１４】
前記ＰｏＣグループに含まれる端末装置それぞれのユーザアドレスが非通知に設定されているかどうかを示す非通知設定情報が複数の装置に跨って管理されている場合、前記非通知指令取得ステップにおいては、それら複数の装置のうちいずれか１つの装置が他の装置から前記非通知設定情報を含む前記非通知指令を取得することを特徴とする請求項１３記載のＰｏＣ通信方法。
【請求項１５】
前記非通知指令は、前記ＰｏＣグループセッションの開始前に、非通知に設定することを希望する端末装置から送信されることを特徴とする請求項１３記載のＰｏＣ通信方法。
【請求項１６】
前記非通知指令は、前記ＰｏＣグループセッションの開始の際に、発信者側の端末装置から送信されることを特徴とする請求項１３記載のＰｏＣ通信方法。
【請求項１７】
前記非通知指令は、前記ＰｏＣグループセッションによる通信中に、端末装置から送信されることを特徴とする請求項１３記載のＰｏＣ通信方法。
【発明の詳細な説明】
【技術分野】
【０００１】
本発明はＰｏＣ通信サーバ装置、端末装置、ＰｏＣ通信方法に関し、特に端末装置をトランシーバのように利用するＰｏＣ通信を実現するためのＰｏＣ通信サーバ装置、端末装置、ＰｏＣ通信方法に関する。
【背景技術】
【０００２】
携帯電話機等の端末装置をトランシーバのように使用することを可能にし、ボタンに触るだけでコミュニケーションを実現するＰｏＣ（Ｐｕｓｈ−ｔｏ−Ｔａｌｋ ｏｖｅｒ Ｃｅｌｌｕｌａｒ）通信の実現が予定されている。
ＰｏＣ通信は１対１またはグループ間での迅速なコミュニケーション手段であり、ＰｏＣ通信では端末装置をトランシーバのように利用することができる。会話を開始するための操作は、ダイヤルボタンを押すではなく、特定のボタンを押すという簡単な操作である。
【０００３】
現在、モバイル・アプリケーション技術の標準化を推進する業界団体ＯＭＡ（Ｏｐｅｎ Ｍｏｂｉｌｅ Ａｌｌｉａｎｃｅ）において、ＰｏＣ Ｃｈａｒｔｅｒ（非特許文献１）に基づいてＰｏＣの標準化がされている（非特許文献２）。
【非特許文献１】ＯＭＡ−ＣＨＡＲＴＥＲ＿ＰｏＣ−Ｖ１＿０−２００３１０１４−Ａ
【非特許文献２】ＯＭＡ−ＲＤ＿ＰｏＣ−Ｖ１＿０−２００４１１１５−Ｃ
【発明の開示】
【発明が解決しようとする課題】
【０００４】
しかし、現段階で規定されている仕様では、発信者によって呼出されるユーザの宛先アドレスすなわちユーザアドレスを非通知と設定する方法および非通知設定に従った処理をするための技術が存在しない。よって、公開したくないユーザアドレスを公開してしまう恐れがあり、ユーザのプライバシーを守る手段がないという問題がある。
本発明は上述した従来技術の問題点を解決するためになされたものであり、その目的はＰｏＣグループ通信において、ユーザの設定により、そのユーザのユーザアドレスを他のユーザから隠す（非通知にする）ことのできるＰｏＣ通信サーバ装置、端末装置、ＰｏＣ通信方法を提供することである。
【課題を解決するための手段】
【０００５】
本発明の請求項１によるＰｏＣ通信サーバ装置は、端末装置によるグループ通話を実現するＰｏＣグループセッションを行うために複数の被招待者の端末装置を一度に招待することができ、かつ、それぞれの被招待者に送信するＩＮＶＩＴＥメッセージにて、他に招待されている被招待者のアドレスを通知することができるＰｏＣ通信サーバ装置であって、ＰｏＣグループに含まれる端末装置に対応するユーザアドレスを、前記ＰｏＣグループに含まれる他の端末装置に対して通知するか非通知にするかの設定をＩＮＶＩＴＥメッセージの受信に応答して制御する手段を含み、前記制御する手段は、前記ＰｏＣグループに含まれる端末装置に対して、前記ＩＮＶＩＴＥメッセージにて、前記ＰｏＣグループに含まれる端末装置に対応するユーザアドレスについて非通知に設定するための非通知設定指令および他に招待されている被招待者のアドレスの非通知設定指令の少なくとも一方を送信することを特徴とする。
【０００６】
本発明の請求項２によるＰｏＣ通信サーバ装置は、請求項１において、前記端末装置からＩＮＶＩＴＥメッセージを受信し、受信したＩＮＶＩＴＥメッセージに含まれている非通知設定有無に関する情報と自装置で管理している非通知設定有無に関する情報とに基づいて非通知設定条件に当てはまるか判定し、該条件に当てはまる場合には、ユーザアドレスを非通知に設定したＩＮＶＩＴＥメッセージを前記被招待者の端末装置に送信することを特徴とする。
【０００７】
本発明の請求項３によるＰｏＣ通信サーバ装置は、端末装置によるグループ通話を実現するＰｏＣグループセッションを行うために複数の被招待者の端末装置を一度に招待することができ、かつ、それぞれの被招待者に送信するＩＮＶＩＴＥメッセージにて、他に招待されている被招待者のアドレスを通知することができるＰｏＣ通信サーバ装置であって、前記ＰｏＣグループに含まれる端末装置に対応するユーザアドレスについて非通知にするための非通知指令を取得する非通知指令取得手段と、前記非通知指令取得手段が取得した前記非通知指令に係るユーザアドレスを前記ＰｏＣグループに含まれる他の端末装置に対して非通知に設定するための非通知設定指令を該他の端末装置に送信する非通知設定手段とを含み、前記ＰｏＣグループに含まれる端末装置に対して、前記ＩＮＶＩＴＥメッセージにて、前記ＰｏＣグループの招待者のアドレスの前記非通知設定指令および他に招待されている被招待者のアドレスの前記非通知設定指令の少なくとも一方を送信することを特徴とする。このような構成によれば、グループメンバー全員、又は、グループの一部のユーザアドレスを、グループメンバー全員から隠す（非通知にする）ことができる。
【０００８】
本発明の請求項４によるＰｏＣ通信サーバ装置は、請求項３において、前記ＰｏＣグループに含まれる端末装置それぞれのユーザアドレスが非通知に設定されているかどうかを示す非通知設定情報が複数の装置に跨って管理されている場合、前記非通知指令取得手段は、他の装置から前記非通知設定情報を含む前記非通知指令を取得することを特徴とする。非通知設定情報が複数のＰｏＣ通信サーバ装置に跨って管理されている場合、それら装置のうちの１つが他の装置から非通知設定情報を取得し、それを端末装置に送信すれば、通信サービス事業者が異なる端末装置との間でグループ通話を実現する場合でも非通知処理を実現できる。
【０００９】
本発明の請求項５によるＰｏＣ通信サーバ装置は、請求項３又は４において、前記非通知指令取得手段は、前記非通知指令を、非通知に設定することを希望する端末装置から前記ＰｏＣグループセッション開始前に、取得することを特徴とする。
本発明の請求項６によるＰｏＣ通信サーバ装置は、請求項３又は４において、  前記非通知指令取得手段は、前記非通知指令を、発信側の端末装置から前記ＰｏＣグループセッションの開始の際に、取得することを特徴とする。
本発明の請求項７によるＰｏＣ通信サーバ装置は、請求項３又は４において、前記非通知指令取得手段は、前記非通知指令を、非通知に設定することを希望する端末装置から前記ＰｏＣグループセッションによる通信中に、取得することを特徴とする。
【００１０】
本発明の請求項８による端末装置は、複数の被招待者の端末装置を一度に招待でき、かつ、ＩＮＶＩＴＥメッセージにて、招待されている被招待者のアドレスを通知することが可能で、他の被招待者の端末装置と共にグループ通話を実現するＰｏＣグループセッションを行う端末装置であって、自端末または被招待者の端末装置のユーザアドレスを、前記ＰｏＣグループに含まれる他の端末装置に対して非通知にする非通知指令を送信する非通知指令送信手段を含み、前記ＩＮＶＩＴＥメッセージにて、前記ＰｏＣグループに含まれる端末装置に対応するユーザアドレスについて非通知に設定するための非通知設定指令および他に招待されている被招待者のアドレスの非通知設定指令の少なくとも一方を送信することを特徴とする。このような構成によれば、グループメンバー全員、又は、グループの一部のユーザアドレスを、グループメンバー全員から隠す（非通知にする）ことができる。
【００１１】
本発明の請求項９による端末装置は、請求項８において、前記非通知指令送信手段は、前記非通知指令を、自装置が非通知に設定することを希望する端末装置である場合に前記ＰｏＣグループセッション開始前に、送信することを特徴とする。
本発明の請求項１０による端末装置は、請求項８において、前記非通知指令送信手段は、前記非通知指令を、自装置が発信側の端末装置である場合に前記ＰｏＣグループセッションの開始の際に、送信することを特徴とする。
本発明の請求項１１による端末装置は、請求項８において、前記非通知指令送信手段は、前記非通知指令を、自装置が非通知に設定することを希望する端末装置である場合に前記ＰｏＣグループセッションによる通信中に、送信することを特徴とする。
【００１２】
本発明の請求項１２による端末装置は、他の被招待者の端末装置と共に一度に招待され、かつ、ＩＮＶＩＴＥメッセージにて、他に招待されている被招待者のアドレスの通知を授受でき、他の被招待者の端末装置と共にグループ通話を実現するＰｏＣグループセッションを行う端末装置であって、前記ＰｏＣグループに含まれる端末装置に対応するユーザアドレスについて非通知にする非通知設定指令を受信した場合、該ユーザアドレスについて非通知である旨を示す内容を自端末に表示する表示制御手段を含み、前記ＩＮＶＩＴＥメッセージにて、前記ＰｏＣグループに含まれる端末装置に対応するユーザアドレスについて非通知に設定するための非通知設定指令および他に招待されている被招待者のアドレスの非通知設定指令の少なくとも一方を受信することを特徴とする。
【００１３】
本発明の請求項１３によるＰｏＣ通信方法は、端末装置によるグループ通話を実現するＰｏＣグループセッションを行うために複数の被招待者の端末装置を一度に招待し、かつ、それぞれの被招待者に送信するＩＮＶＩＴＥメッセージにて、他に招待されている被招待者のアドレスを通知することができるＰｏＣ通信方法であって、前記ＰｏＣグループに含まれる端末装置に対応するユーザアドレスについて非通知にするための非通知指令をＰｏＣ通信サーバ装置が取得する非通知指令取得ステップ（例えば、図８中のステップＳ２２に対応）と、前記非通知指令取得ステップにおいて取得した前記非通知指令に係るユーザアドレスを前記ＰｏＣグループに含まれる他の端末装置に対して非通知に設定するための非通知設定指令をＰｏＣ通信サーバ装置が前記他の端末装置に送信する非通知設定ステップ（例えば、図８中のステップＳ２７に対応）とを含み、前記ＰｏＣグループに含まれる端末装置に対して、前記ＩＮＶＩＴＥメッセージにて、前記ＰｏＣグループの招待者のアドレスの前記非通知設定指令および他に招待されている被招待者のアドレスの前記非通知設定指令の少なくとも一方を送信することを特徴とする。このような構成によれば、グループメンバー全員、又は、グループの一部のユーザアドレスを、グループメンバー全員から隠す（非通知にする）ことができる。
【００１４】
本発明の請求項１４によるＰｏＣ通信方法は、請求項１３において、前記ＰｏＣグループに含まれる端末装置それぞれのユーザアドレスが非通知に設定されているかどうかを示す非通知設定情報が複数の装置に跨って管理されている場合、前記非通知指令取得ステップにおいては、それら複数の装置のうちいずれか１つの装置が他の装置から前記非通知設定情報を含む前記非通知指令を取得する（例えば、図２４中のステップＳ６１〜Ｓ６３に対応）ことを特徴とする。非通知設定情報が複数のＰｏＣ通信サーバ装置に跨って管理されている場合、それら装置のうちの１つが他の装置から非通知設定情報を取得し、それを端末装置に送信すれば、通信サービス事業者が異なる端末装置との間でグループ通話を実現する場合でも非通知処理を実現できる。
【００１５】
本発明の請求項１５によるＰｏＣ通信方法は、請求項１３において、前記非通知指令は、前記ＰｏＣグループセッションの開始前に、非通知に設定することを希望する端末装置から送信されることを特徴とする。
本発明の請求項１６によるＰｏＣ通信方法は、請求項１３において、前記非通知指令は、前記ＰｏＣグループセッションの開始の際に、発信者側の端末装置から送信されることを特徴とする。
本発明の請求項１７によるＰｏＣ通信方法は、請求項１３において、前記非通知指令は、前記ＰｏＣグループセッションによる通信中に、端末装置から送信されることを特徴とする。
【００１６】
要するに本発明においては、ＰｏＣ通信サービスにおいて、ＰｏＣ契約者がＰｏＣグループ通信を開始する場合、非通知対象者を選択してＰｏＣセッション開始要求を送出する。この時、発信者は自分のみ、全員、または、一部のユーザのアドレス（電話番号、ＳＩＰ ＵＲＩなど）を非通知設定にすることを可能とする。
発信者の設定によって非通知対象とされたユーザにおいては、ＰｏＣセッション開始要求を受信したＰｏＣ端末装置（移動機）あるいはＰｏＣ通信サービス制御装置（ＰｏＣサーバ）にて非通知設定処理が実施される。
【００１７】
この時、非通知対象ユーザとして選択されていない着信者においては、ＰｏＣセッション開始要求を受信する前に自身のユーザアドレスを非通知にする設定をしていれば、ＰｏＣ端末装置あるいはＰｏＣサービス制御装置にて非通知処理を実施する。なお、ＰｏＣセッションが確立された後でも、各ユーザは自身のユーザアドレスを非通知設定することができ、ユーザの意思に従った非通知サービスが提供できる。
【発明の効果】
【００１８】
以上説明したように本発明は、ＰｏＣグループに含まれる端末装置に対応するユーザアドレスについて非通知にするための非通知指令を取得し、この取得した非通知指令に係るユーザアドレスをＰｏＣグループに含まれる他の端末装置に対して非通知に設定するための非通知設定指令を他の端末装置に送信することにより、ユーザの設定により、そのユーザのユーザアドレスを他のユーザから隠す（非通知にする）ことができるという効果がある。
【発明を実施するための最良の形態】
【００１９】
以下、本発明の実施の形態を、図面を参照して説明する。なお、以下の説明において参照する各図では、他の図と同等部分は同一符号によって示されている。
（ＰｏＣ通信システムの構成例）
図１、図２は本実施形態によるＰｏＣ通信サーバ装置及び端末装置を採用したＰｏＣ通信システムの構成例を示すブロック図である。
【００２０】
図１（ａ）は各ＰｏＣ端末装置において非通知処理を行う場合の構成を示すブロック図である。同図において、ＰｏＣ端末装置１１はＰｏＣセッション開始要求（非通知設定情報）を送信する発信者の使用する端末装置であり、図示せぬＣＰＵ、記憶部、通信部、表示部、音声入出力部などを含む移動端末としての機能を有している。また、ＰｏＣ通信サービス制御装置１０は、ＰｏＣ通信を実現する処理を行う装置であり、図示せぬＣＰＵ、記憶部、通信部などを含むＰｏＣ通信サーバとしての機能を有している。ＰｏＣ端末装置１２及び１３は、着信者の使用する端末装置であり、ＰｏＣ端末装置１１と共に、ＰｏＣグループセッションを行う。
【００２１】
ＰｏＣ通信サービス制御装置１０の機能構成が図３に示されている。同図に示されているように、ＰｏＣ通信サービス制御装置は、ＰｏＣグループに含まれる端末装置に対応するユーザアドレスについて非通知にするための非通知指令を取得する非通知指令取得手段１０ａと、この非通知指令取得手段１０ａが取得した非通知指令に係るユーザアドレスをＰｏＣグループに含まれる他の端末装置に対して非通知に設定するための非通知設定指令を該他の端末装置に送信する非通知設定手段１０ｂとを有している。
【００２２】
また、ＰｏＣ端末装置１１〜１３の機能構成が図４に示されている。同図に示されているように、ＰｏＣ端末装置は、自端末のユーザアドレスを、ＰｏＣグループに含まれる他の端末装置に対して非通知にする非通知指令を送信する非通知指令送信手段１１ａと、ＰｏＣグループに含まれる端末装置に対応するユーザアドレスについて非通知にする非通知設定指令を受信した場合、該ユーザアドレスについて非通知である旨を示す内容を自端末に表示する表示制御手段１１ｂとを有している。
【００２３】
ＰｏＣ通信サービス制御装置１０から各ＰｏＣ端末装置１１〜１３に向けて送信されるパケット２０の構成例が図１（ｂ）に示されている。同図（ｂ）を参照すると、パケット２０は、ユーザアドレスを通知するか否かを示す識別子２１と、実際のユーザアドレスとなるユーザＩＤ２２とを含んで構成されている。本例では、ＰｏＣ通信サービス制御装置１０において識別子の値の設定のみを行い、各ＰｏＣ端末装置１１〜１３において識別子の内容に応じた非通知処理を行う。すなわち、非通知を示す値に識別子が設定されていれば、各ＰｏＣ端末装置１１〜１３において、表示画面には非通知の旨を示すメッセージが表示されることになる。これに対し、非通知を示す値に識別子が設定されていなければ、各ＰｏＣ端末装置１１〜１３において、表示画面には非通知の旨を示すメッセージは表示されないことになる。以下、図１による処理の場合を「ケース１」と呼ぶ。
【００２４】
一方、図２（ａ）はＰｏＣ通信サービス制御装置において非通知処理を行う場合の構成を示すブロック図である。同図において、ＰｏＣ端末装置１１はＰｏＣセッション開始要求（非通知設定情報）を送信する発信者の使用する端末装置である。また、ＰｏＣ通信サービス制御装置１０は、ＰｏＣ通信を実現する処理を行う装置である。ＰｏＣ端末装置１２及び１３は、着信者の使用する端末装置であり、ＰｏＣ端末装置１１と共に、ＰｏＣグループセッションを行う。
【００２５】
ＰｏＣ通信サービス制御装置１０から各ＰｏＣ端末装置１１〜１３に向けて送信されるパケット３０の構成例が同図（ｂ）に示されている。同図（ｂ）を参照すると、パケット３０は、各ＰｏＣ端末装置の表示画面に表示すべき内容を示すＤＩＳＰＬＡＹＮＡＭＥ３１と、実際のユーザアドレスとなるユーザＩＤ２２とを含んで構成されている。本例では、ＰｏＣ通信サービス制御装置１０において各端末装置の表示画面に表示すべき内容がＤＩＳＰＬＡＹＮＡＭＥ３１の領域に書込まれ、各ＰｏＣ端末装置１１〜１３においてはそれをそのまま画面に表示する。すなわち、ＰｏＣ通信サービス制御装置１０が非通知処理を行う場合は非通知の旨を示すメッセージをＤＩＳＰＬＡＹＮＡＭＥ３１の領域に書き込むことになる。これに対し、ＰｏＣ通信サービス制御装置１０が非通知処理を行わない場合はユーザ名等がＤＩＳＰＬＡＹＮＡＭＥ３１の領域に書込まれ、各ＰｏＣ端末装置１１〜１３においてはそれをそのまま画面に表示する。以下、図２による処理の場合を「ケース２」と呼ぶ。
以上のように、ユーザアドレスの非通知処理は、ＰｏＣ端末装置、ＰｏＣ通信サービス制御装置のいずれか一方で行うことになる。
【００２６】
（非通知設定動作例）
ＰｏＣ端末装置の非通知設定動作の一例について、図５〜図９を参照して説明する。
図５はＰｏＣセッション発信者の端末装置の動作例を示すフローチャートである。同図において、最初に、ＰｏＣセッション発信者が端末装置を操作し、非通知対象者を選択する（ステップＳ１）。そして、非通知設定条件を追加してＰｏＣセッション開始要求を送出する（ステップＳ２）。
【００２７】
その後、ＰｏＣ通信サービス制御装置から応答があると、その応答に含まれている非通知情報の内容を確認する（ステップＳ３→Ｓ４）。この確認の結果、非通知が設定されていれば、その非通知情報に応じた非通知設定処理を実行する（ステップＳ５→Ｓ６）。これにより、非通知対象ユーザのアドレスを"非通知"表示とする（ステップＳ７）。
なお、ステップＳ３において応答が無い場合や、ステップＳ５において非通知が設定されていない場合、処理はそのまま終了となる。
【００２８】
図６はＰｏＣセッション着信者の端末装置の動作例を示すフローチャートである。同図において、ＰｏＣセッション発信者側の端末からＰｏＣセッション開始要求を受信すると（ステップＳ８）、その要求に含まれている非通知情報の内容を確認する（ステップＳ９）。この確認の結果、非通知が設定されていれば、その非通知情報に応じた非通知設定処理を実行する（ステップＳ１０→Ｓ１１）。これにより、非通知対象ユーザのアドレスを"非通知"表示とする（ステップＳ１２）。
【００２９】
ステップＳ１２において、ケース１の場合は、非通知設定を要求する指示が通知され、対象ユーザのアドレスが非通知表示されるように、端末装置において表示画面に"非通知"とメッセージ出力する。一方、ケース２の場合は、対象ユーザのアドレスについてはＰｏＣ通信サービス制御装置によって非通知表示する処理が既に行われている。このため、端末装置は受けとった非通知情報を単に読み込んで、そのまま端末装置の表示画面に表示する。この結果、"非通知"と表示出力されることになる。
【００３０】
着信者の端末装置における非通知表示が完了したら、ＰｏＣセッション開始応答をＰｏＣ通信サービス制御装置へ送出する（ステップＳ１３）。
なお、ステップＳ９の確認の結果、非通知が設定されていなければ、そのままＰｏＣセッション開始応答を送出する（ステップＳ１０→Ｓ１３）。
図７は自端末のアドレスについて非通知設定要求を送出した場合の動作例を示すフローチャートである。同図において、最初に自端末のアドレスについて非通知有無を選択する操作が行われる（ステップＳ１４）。自端末のアドレスについて非通知にする場合、自端末のアドレス非通知設定要求を送出する（ステップＳ１５→Ｓ１６）。
【００３１】
その後、ＰｏＣ通信サービス制御装置から応答があると、その応答すなわち非通知設定メッセージに含まれている非通知情報の内容を確認する（ステップＳ１７→Ｓ１８）。この確認の結果、非通知が設定されていれば、その非通知情報に応じた非通知設定処理を実行する（ステップＳ１９→Ｓ２０）。これにより、非通知対象ユーザのアドレスを"非通知"表示とする（ステップＳ２１）。
なお、ステップＳ１５において自端末のアドレスについて非通知にしない場合、ステップＳ１７において応答が無い場合、ステップＳ１９において非通知が設定されていない場合、処理はそのまま終了となる。
【００３２】
図８はＰｏＣセッションの開始要求／応答の送受信時における非通知設定動作例を示すフローチャートである。同図において、非通知設定条件付きのＰｏＣセッション開始要求を受信すると（ステップＳ２２）、その要求に含まれている非通知条件を記憶する（ステップＳ２３）。その後、非通知条件の確認及び判定を行う（ステップＳ２４）。
【００３３】
そして、非通知設定情報を更新する必要がある場合、非通知判定結果に基づき、非通知設定情報を更新した後（ステップＳ２５→Ｓ２６）、非通知設定情報を含んだＰｏＣセッション開始要求を全着信ユーザへ送出する（ステップＳ２７）。一方、非通知設定情報を更新する必要がない場合、更新せず、非通知設定情報を含んだＰｏＣセッション開始要求を全着信ユーザへ送出する（ステップＳ２５→Ｓ２７）。
ＰｏＣ通信サービス制御装置は、少なくとも一つのＰｏＣセッション開始応答を受信することができれば、着信者へ送出したときと同様の非通知設定情報をＰｏＣセッション開始応答に付加して発信者の端末装置へ送出する（ステップＳ２８→Ｓ２９）。なお、着信ユーザからの応答がない場合は、そのまま処理が終了となる。
【００３４】
図９は自端末のアドレスについての非通知設定要求／応答（非通知設定メッセージ）の送信時における非通知設定動作例を示すフローチャートである。同図において、自端末アドレスの非通知要求を受信すると（ステップＳ３０）、その要求に含まれている非通知情報を記憶する（ステップＳ３１）。
ＰｏＣセッションが確立済みである場合、非通知条件の確認及び判定を行う（ステップＳ３２→Ｓ３３）。そして、非通知設定情報を更新する必要がある場合、非通知判定結果に基づき、非通知設定情報を更新した後（ステップＳ３４→Ｓ３５）、非通知設定情報を含んだ非通知設定メッセージを全ユーザへ送出する（ステップＳ３６）。
なお、ステップＳ３２においてＰｏＣセッションが確立されていない場合、ステップＳ３４において非通知設定情報を更新する必要がない場合、そのまま処理が終了となる。
【００３５】
（非通知設定される条件）
図１０は、ユーザアドレスが非通知設定される条件を示すテーブルである。同図においては、ユーザアドレスの非通知有無が○／×によって示されている。「○」は全ユーザに対して非通知にすることを示し、「×」は非通知処理が実施されないことを示している。
ＰｏＣセッション開始要求（ＩＮＶＩＴＥ）の際には、発信者による非通知設定あり（発信時に非通知対象者を選択する）の場合と、非通知設定なし（発信時に非通知対象者を選択しない）の場合とがある。
【００３６】
また、着信者による自端末のユーザアドレスの非通知設定については、非通知設定あり（自端末のアドレス非通知設定要求を送出する）の場合と、非通知設定なし（自端末のアドレス非通知設定要求を送出しない）の場合とがある。
同図に示されているように、発信者側と着信者側との少なくとも一方において非通知が設定されれば、そのユーザアドレスは非通知となる。そして、発信者がセッションから脱退するまでは、図１０に示されている非通知設定が維持される。
【００３７】
（ケース１）
図１１及び図１２は、非通知処理をＰｏＣ端末装置で実施した場合の一例を示すフローシーケンスである。
図１１は、ＰｏＣセッション要求が送出される前にユーザＢが自端末のアドレス非通知要求し、ＰｏＣセッションが確立されるまでのフローである。同図において、ＰｏＣ端末装置１２の着信側であるユーザＢが自端末のアドレスについて非通知設定を要求すると（Ｓ１０１）、ＰｏＣ通信サービス制御装置１０において、ユーザＢのアドレスは非通知に設定されたことを記憶する（Ｓ１０２）。以上のように、自端末のアドレス非通知設定要求は、ＰｏＣセッション確立状態に関わらず、任意のタイミングで送出することができる。ただし、ＰｏＣセッションが確立されるまでは、自端末アドレスの非通知設定は有効化されない。
【００３８】
一方、ＰｏＣ端末装置１１において、ユーザＡ及びユーザＢについて、ユーザアドレスを非通知対象として選択し（Ｓ１０３）、ＰｏＣセッション開始要求（ＩＮＶＩＴＥ）を発信する（Ｓ１０４）。このＰｏＣセッション開始要求（ＩＮＶＩＴＥ）は、ＰｏＣ通信サービス制御装置１０に送信される（Ｓ１０５）。
ＰｏＣ通信サービス制御装置１０では、ＰｏＣセッション開始要求で受信した非通知情報を記憶して、非通知設定判定を行う（Ｓ１０６）。その後、ＰｏＣ通信サービス制御装置１０は、ＰｏＣセッション開始要求（ＩＮＶＩＴＥ）をＰｏＣ端末装置１２及び１３に送信する（Ｓ１０７、Ｓ１０９）。このＰｏＣセッション開始要求（ＩＮＶＩＴＥ）を受信したＰｏＣ端末装置１２及び１３では、非通知処理が行われ（Ｓ１０８、Ｓ１１０）、ユーザＡ及びユーザＢについては、ユーザアドレスが非通知となる。
【００３９】
その後、ＰｏＣ端末装置１２からＰｏＣ通信サービス制御装置１０へＰｏＣセッション開始応答が送信されると（Ｓ１１１）、ＰｏＣ通信サービス制御装置１０はＰｏＣセッション開始応答をＰｏＣ端末装置１１に送信する（Ｓ１１２）。これにより、ＰｏＣ端末装置１１では、非通知処理が行われる（Ｓ１１３）。なお、ＰｏＣ端末装置１３からＰｏＣセッション開始応答が送信された場合（Ｓ１１４）、ＰｏＣ端末装置１３のユーザアドレスは非通知に設定されていないので、非通知処理は行われない。その後、ＰｏＣ端末装置１１〜１３は、ＰｏＣ通信中となる（Ｓ１１５）。
【００４０】
図１２は、ＰｏＣセッション確立後のＰｏＣ通信中にユーザＣが自端末のアドレスを非通知に設定する要求をした場合のフローである。同図において、ＰｏＣ端末装置１１〜１３によるＰｏＣ通信中（Ｓ１１５）に、ＰｏＣ端末装置１３が、自端末のユーザアドレスについて非通知に設定する要求を送信すると（Ｓ１１６）、ＰｏＣ通信サービス制御装置１０では、ユーザＣのアドレスは非通知に設定されたことを記憶し（Ｓ１１７）、非通知設定判定を行う（Ｓ１１８）。
その後、ＰｏＣ通信サービス制御装置１０は、ユーザＣのアドレスを非通知に指示するための非通知設定メッセージをＰｏＣ端末装置１１〜１３に送信する（Ｓ１１９、Ｓ１２１、Ｓ１２３）。このメッセージを受信したＰｏＣ端末装置１１及び１２においては、ユーザＣのユーザアドレスについて非通知処理が行われる（Ｓ１２０、Ｓ１２２、Ｓ１２４）。
【００４１】
（ケース２）
図１３及び図１４は、非通知処理をＰｏＣ通信サービス制御装置で実施した場合の一例を示すフローシーケンスである。
図１３は、ＰｏＣセッション要求が送出される前にユーザＢが自端末のアドレス非通知要求し、ＰｏＣセッションが確立されるまでのフローである。同図において、ＰｏＣ端末装置１２の着信側であるユーザＢが自端末のアドレスについて非通知設定を要求すると（Ｓ２０１）、ＰｏＣ通信サービス制御装置１０において、ユーザＢのアドレスは非通知に設定されたことを記憶する（Ｓ２０２）。以上のように、自端末のアドレス非通知設定要求は、ＰｏＣセッション確立状態に関わらず、任意のタイミングで送出することができる。ただし、ＰｏＣセッションが確立されるまでは、自端末アドレスの非通知設定は有効化されない。
【００４２】
一方、ＰｏＣ端末装置１１において、ユーザＡ及びユーザＢについて、ユーザアドレスを非通知対象として選択し（Ｓ２０３）、ＰｏＣセッション開始要求（ＩＮＶＩＴＥ）を発信する（Ｓ２０４）。このＰｏＣセッション開始要求（ＩＮＶＩＴＥ）は、ＰｏＣ通信サービス制御装置１０に送信される（Ｓ２０５）。
ＰｏＣ通信サービス制御装置１０では、ＰｏＣセッション開始要求で受信した非通知情報を記憶して、非通知設定判定を行う（Ｓ２０６）。その後、ＰｏＣ通信サービス制御装置１０は、非通知処理を行う（Ｓ２０７）。さらに、ＰｏＣ通信サービス制御装置１０は、ＰｏＣセッション開始要求（ＩＮＶＩＴＥ）をＰｏＣ端末装置１２及び１３に送信する（Ｓ２０８、Ｓ２１０）。このＰｏＣセッション開始要求（ＩＮＶＩＴＥ）を受信したＰｏＣ端末装置１２及び１３では、非通知処理が行われ（Ｓ２０９、Ｓ２１１）、ユーザＡ及びユーザＢについては、ユーザアドレスが非通知となる。
【００４３】
その後、ＰｏＣ端末装置１２からＰｏＣ通信サービス制御装置１０へＰｏＣセッション開始応答が送信されると（Ｓ２１２）、ＰｏＣ通信サービス制御装置１０はＰｏＣセッション開始応答をＰｏＣ端末装置１１に送信する（Ｓ２１３）。これにより、ＰｏＣ端末装置１１では、非通知処理が行われる（Ｓ２１４）。なお、ＰｏＣ端末装置１３からＰｏＣセッション開始応答が送信された場合（Ｓ２１５）、ＰｏＣ端末装置１３のユーザアドレスは非通知に設定されていないので、非通知処理は行われない。その後、ＰｏＣ端末装置１１〜１３は、ＰｏＣ通信中となる（Ｓ２１６）。
【００４４】
図１４は、ＰｏＣセッション確立後のＰｏＣ通信中にユーザＣが自端末のアドレスを非通知に設定する要求をした場合のフローである。同図において、ＰｏＣ端末装置１１〜１３によるＰｏＣ通信中（Ｓ２１６）に、ＰｏＣ端末装置１３が、自端末のユーザアドレスについて非通知に設定する要求を送信すると（Ｓ２１７）、ＰｏＣ通信サービス制御装置１０では、ユーザＣのアドレスは非通知に設定されたことを記憶し（Ｓ２１８）、非通知設定判定を行う（Ｓ２１９）。
【００４５】
その後、ＰｏＣ通信サービス制御装置１０は、ユーザＣのアドレスを非通知に指示するための非通知設定メッセージをＰｏＣ端末装置１１〜１３に送信する（Ｓ２２０、Ｓ２２２、Ｓ２２４）。このメッセージを受信したＰｏＣ端末装置１１及び１２においては、ユーザＣのユーザアドレスについて非通知処理が行われる（Ｓ２２１、Ｓ２２３、Ｓ２２５）。
【００４６】
（具体的な動作例）
非通知処理をＰｏＣ端末装置で実施した場合の具体的な動作例について、図１５を参照して説明する。なお、同図中の実線は、ＰｏＣ通信トラヒックを示している。
同図（ａ）において、ＰｏＣセッションが確立する以前に、ユーザＢが自身のユーザアドレス（ＳＩＰ ＵＲＩ）を非通知に設定すると、自アドレス非通知設定要求がＰｏＣ通信サービス制御装置１０に送信される（Ｓ５０１）。すると、ＰｏＣ通信サービス制御装置１０では、ユーザＢは非通知設定にしていることを記憶しておく。
【００４７】
次に、同図（ｂ）において、ユーザＡ、Ｂ及びＣの間でＰｏＣグループ通信を開始したいと希望したユーザＡの端末装置１１からＰｏＣセッション開始要求（例としてＳＩＰ ＩＮＶＩＴＥ）が送出される。この時、ユーザＡとユーザＢのユーザアドレスを公開したくないとユーザＡが希望したとする。ＰｏＣセッション開始要求には、ユーザＡとユーザＢのユーザアドレスを非通知にするという情報が含まれる。この情報は、ＰｏＣ通信サービス制御装置１０に記憶される。
【００４８】
ＰｏＣ通信サービス制御装置１０では、図１０の内容に従って非通知処理が行われる。すなわち、自端末アドレス非通知設定要求とＰｏＣセッション開始要求に含まれている非通知設定情報とを照合し、少なくとも一方の要求で非通知にすると設定されていれば、非通知にする指示を発信者以外のＰｏＣ端末装置１２及び１３へ送出する（Ｓ５０３、Ｓ５０４）。この指示には、ユーザＡとユーザＢのユーザアドレスを非通知にする情報が含められる。ユーザＢとユーザＣのＰｏＣ端末装置１２及び１３にて、要求を受信したと同時に非通知処理が実行される。以上により、ＰｏＣセッション確立中および確立後のＰｏＣ通信は、各々のＰｏＣ端末装置１１、１２、１３に、ユーザＡは"非通知"、ユーザＢは"非通知"、ユーザＣにおいては表示名とユーザアドレスが画面に表示される。
【００４９】
同図（ｃ）において、ＰｏＣセッションが確立している時すなわちＰｏＣ通信中に、ユーザＣも何らかの理由で自分のユーザアドレスを非公開にしたいと希望した場合、自身のユーザアドレスを非通知に設定する要求をＰｏＣ通信サービス制御装置１０へ送出する（Ｓ５０５）。この要求を受信したＰｏＣ通信サービス制御装置１０は、ユーザＣのユーザアドレスを非通知に設定する指示をそれぞれのＰｏＣ端末装置１１、１２、１３へ送信する。この指示を受信した上で、各々のＰｏＣ端末装置１１、１２、１３にてユーザＣのユーザアドレス非通知処理を実施する。
以後は、同図（ｄ）に示されているように、すべてのＰｏＣ端末装置１１、１２、１３においてユーザアドレスが非通知となった状態でＰｏＣ通信が続行される。
【００５０】
（非通知対象ユーザ数の送信）
ところで、上述したケース１、ケース２のいずれのケースにおいても、ユーザアドレスは、必ずＰｏＣ端末装置へ送信している。しかしながら、ユーザアドレスを必ず送信するのは、無線区間のネットワークリソースを有効に活用する側面からは非効率である。よって、非通知対象のユーザにおいては、ユーザアドレスそのものを送信しない方式も考えられる。その場合、図１６（ａ）に示されているように、ＰｏＣ通信サービス制御装置１０において、非通知対象ユーザの数に関する情報（例えば、非通知対象ユーザの数の値）のみをパケット４０に含めて送信し、各ＰｏＣ端末装置１１〜１３において非通知対象ユーザの数だけ「非通知」と表示する。
【００５１】
ＰｏＣ通信サービス制御装置１０から各ＰｏＣ端末装置１１〜１３に向けて送信されるパケット４０の構成例が同図（ｂ）に示されている。同図（ｂ）を参照すると、パケット４０には、非通知対象ユーザの数が含まれている。
例えば、パケット４０に含まれている非通知対象ユーザ数が「２」であれば、各ＰｏＣ端末装置１１〜１３において、表示画面には２名分の非通知の旨を示すメッセージが表示されることになる。これに対し、ＰｏＣ端末装置についてのユーザアドレスがそのまま送信されていれば、各ＰｏＣ端末装置１１〜１３において非通知対象ユーザではないと判断し、表示画面にはユーザアドレスが表示される（非通知の旨を示すメッセージは表示されない）ことになる。この処理を「ケース３」と呼ぶ。
【００５２】
（複数のＰｏＣ通信サービス制御装置）
ところで、ＰｏＣ通信サービス制御装置が複数存在し、それら複数のＰｏＣ通信サービス制御装置でＰｏＣ通信サービスを実現しても良い。その場合、１つのＰｏＣ通信サービス制御装置が拠点となり、拠点となるＰｏＣ通信サービス制御装置に非通知設定情報を取りまとめてＩＮＶＩＴＥを送信する。ここで、発信者と着信者とは、それぞれ別の通信サービス事業者と契約している場合を考える。この場合、発信者、着信者それぞれのＰｏＣ端末装置は、契約している通信サービス事業者のＰｏＣ通信サービス制御装置と通信を行うことができ、契約していない通信サービス事業者のＰｏＣ通信サービス制御装置とは契約している通信サービス事業者のＰｏＣ通信サービス制御装置を経由して通信を行うことができる。
【００５３】
図１７に示されている例では、通信サービス事業者毎にＰｏＣ通信サービス制御装置が配備されている。すなわち、ＰｏＣ通信サービス制御装置１０、１１０、１２０が互いに異なる通信サービス事業者によって運営されている。そして、ＰｏＣ端末装置１１はＰｏＣ通信サービス制御装置１０の通信サービス事業者と契約しているため、ＰｏＣ通信サービス制御装置１０と通信を行うことができ、契約していない通信サービス事業者のＰｏＣ通信サービス制御装置１１０、１２０とは契約している通信サービス事業者のＰｏＣ通信サービス制御装置１０を経由して通信を行うことができる。
【００５４】
また、ＰｏＣ端末装置１２はＰｏＣ通信サービス制御装置１１０の通信サービス事業者と契約しているため、ＰｏＣ通信サービス制御装置１１０と通信を行うことができ、契約していない通信サービス事業者のＰｏＣ通信サービス制御装置１０、１２０とは契約している通信サービス事業者のＰｏＣ通信サービス制御装置１１０を経由して通信を行うことができる。ＰｏＣ端末装置１３はＰｏＣ通信サービス制御装置１２０の通信サービス事業者と契約しているため、ＰｏＣ通信サービス制御装置１２０と通信を行うことができ、契約していない通信サービス事業者のＰｏＣ通信サービス制御装置１０、１１０とは契約している通信サービス事業者のＰｏＣ通信サービス制御装置１２０を経由して通信を行うことができる。
【００５５】
以上のような場合において、発信者のＰｏＣ端末装置１１から、ＰｏＣ端末装置１２及びＰｏＣ端末装置１３を着信側としてＰｏＣセッション開始要求が発信されると、１つの（本例では、発側の）ＰｏＣ通信サービス制御装置１０が拠点となり、その他の（本例では、着側の）ＰｏＣ通信サービス制御装置１１０、１２０がそれぞれ保持している非通知設定情報を、拠点となるＰｏＣ通信サービス制御装置１０が取得する。１つのＰｏＣ通信サービス制御装置が拠点となり、それぞれのＰｏＣ通信サービス制御装置に保持されている非通知情報を取りまとめることで、発信者の設定した非通知情報、および、自端末装置のアドレス非通知有無に応じた非通知情報を反映したＰｏＣセッション開始要求を、拠点となるＰｏＣ通信サービス制御装置からその他のＰｏＣ通信サービス制御装置を経由して各々の着信側端末装置に対して送信することができる。
要するに、非通知設定情報が複数のＰｏＣ通信サービス制御装置に跨って管理されている場合、それら装置のうちの１つが他の装置から非通知設定情報を取得し、それを端末装置に送信すれば、通信サービス事業者が異なる端末装置との間でグループ通話を実現する場合でも非通知処理を実現できる。
【００５６】
図１８及び図１９は、上述したケース１で、非通知設定情報が複数のＰｏＣ通信サービス制御装置に跨って管理されている場合の非通知処理の一例を示すフローシーケンスであり、ＰｏＣセッション要求が送出される前にユーザＢが自端末のアドレス非通知要求し、ＰｏＣセッションが確立されるまでのフローである。図１８において、ＰｏＣ端末装置１２の着信側であるユーザＢが自端末のアドレスについて非通知設定を要求すると（Ｓ３０１）、ＰｏＣ通信サービス制御装置１１０において、ユーザＢのアドレスは非通知に設定されたことを記憶する（Ｓ３０２）。このように、自端末のアドレス非通知設定要求は、ＰｏＣセッション確立状態に関わらず、任意のタイミングで送出することができる。ただし、ＰｏＣセッションが確立されるまでは、自端末アドレスの非通知設定は有効化されない。
【００５７】
一方、ＰｏＣ端末装置１１において、ユーザＡについて、ユーザアドレスを非通知対象として選択し（Ｓ３０３）、ＰｏＣセッション開始要求（ＩＮＶＩＴＥ）を発信する（Ｓ３０４）。このＰｏＣセッション開始要求（ＩＮＶＩＴＥ）は、ＰｏＣ通信サービス制御装置１０に送信される（Ｓ３０５）。
ＰｏＣ通信サービス制御装置１０では、着側のユーザＢ及びユーザＣのユーザアドレスについて非通知設定されているか確認するため、着側のＰｏＣ通信サービス制御装置１１０、１２０に、非通知情報要求をそれぞれ送信し（Ｓ３０６、Ｓ３０８）、非通知設定されているか否かを示す非通知情報応答をそれぞれ受信する（Ｓ３０７、Ｓ３０９）。
【００５８】
次に、ＰｏＣ通信サービス制御装置１０では、ＰｏＣセッション開始要求（Ｓ３０５）及び非通知情報応答（Ｓ３０７、Ｓ３０９）で受信した非通知情報を記憶して、非通知設定判定を行い（Ｓ３１０）、非通知処理を行う（Ｓ３１１）。
図１９に移行し、ＰｏＣ通信サービス制御装置１０は、ＰｏＣセッション開始要求（ＩＮＶＩＴＥ）をＰｏＣ端末装置１２に向けて送信する（Ｓ３１２）。このＰｏＣセッション開始要求（ＩＮＶＩＴＥ）は、着側のＰｏＣ通信サービス制御装置１１０を経由してＰｏＣ端末装置１２に送られる（Ｓ３１３）。このＰｏＣセッション開始要求（ＩＮＶＩＴＥ）を受信したＰｏＣ端末装置１２では、非通知処理が行われ（Ｓ３１４）、ユーザＡ及びユーザＢについては、ユーザアドレスが非通知となる。その後、ＰｏＣ端末装置１２からＰｏＣ通信サービス制御装置１１０を経由してＰｏＣ通信サービス制御装置１０へＰｏＣセッション開始応答が送信される（Ｓ３１５、Ｓ３１６）。
【００５９】
また、ＰｏＣ通信サービス制御装置１０は、ＰｏＣセッション開始要求（ＩＮＶＩＴＥ）をＰｏＣ端末装置１３に向けて送信する（Ｓ３１７）。このＰｏＣセッション開始要求（ＩＮＶＩＴＥ）は、着側のＰｏＣ通信サービス制御装置１２０を経由してＰｏＣ端末装置１３に送られる（Ｓ３１８）。このＰｏＣセッション開始要求（ＩＮＶＩＴＥ）を受信したＰｏＣ端末装置１３では、非通知処理が行われ（Ｓ３１９）、ユーザＡ及びユーザＢについては、ユーザアドレスが非通知となる。その後、ＰｏＣ端末装置１３からＰｏＣ通信サービス制御装置１２０を経由してＰｏＣ通信サービス制御装置１０へＰｏＣセッション開始応答が送信される（Ｓ３２０、Ｓ３２１）。
【００６０】
ＰｏＣ端末装置１２、ＰｏＣ端末装置１３からのＰｏＣセッション開始応答を受信したＰｏＣ通信サービス制御装置１０は、ＰｏＣセッション開始応答をＰｏＣ端末装置１１に送信する（Ｓ３２２）。これにより、ＰｏＣ端末装置１１では、ユーザＡ及びユーザＢのユーザアドレスについて、非通知処理が行われる（Ｓ３２３）。なお、ＰｏＣ端末装置１３のユーザアドレス（ユーザＣ）については、非通知に設定されていないので、非通知処理は行われない。その後、ＰｏＣ端末装置１１〜１３は、ＰｏＣ通信中となる（Ｓ３２４）。
【００６１】
図２０及び図２１は、上述したケース３で、非通知設定情報が複数のＰｏＣ通信サーバ装置に跨って管理されている場合の非通知処理の一例を示すフローシーケンスであり、ＰｏＣセッション要求が送出される前にユーザＢが自端末のアドレス非通知要求し、ＰｏＣセッションが確立されるまでのフローである。図２０において、ＰｏＣ端末装置１２の着信側であるユーザＢが自端末のアドレスについて非通知設定を要求すると（Ｓ４０１）、ＰｏＣ通信サービス制御装置１１０において、ユーザＢのアドレスは非通知に設定されたことを記憶する（Ｓ４０２）。このように、自端末のアドレス非通知設定要求は、ＰｏＣセッション確立状態に関わらず、任意のタイミングで送出することができる。ただし、ＰｏＣセッションが確立されるまでは、自端末アドレスの非通知設定は有効化されない。
【００６２】
一方、ＰｏＣ端末装置１１において、ユーザＡについて、ユーザアドレスを非通知対象として選択し（Ｓ４０３）、ＰｏＣセッション開始要求（ＩＮＶＩＴＥ）を発信する（Ｓ４０４）。このＰｏＣセッション開始要求（ＩＮＶＩＴＥ）は、ＰｏＣ通信サービス制御装置１０に送信される（Ｓ４０５）。
ＰｏＣ通信サービス制御装置１０では、着側のユーザＢ及びユーザＣのユーザアドレスについて非通知設定されているか確認するため、着側のＰｏＣ通信サービス制御装置１１０、１２０に、非通知情報要求をそれぞれ送信し（Ｓ４０６、Ｓ４０８）、非通知設定されているか否かを示す非通知情報応答をそれぞれ受信する（Ｓ４０７、Ｓ４０９）。
【００６３】
次に、ＰｏＣ通信サービス制御装置１０では、ＰｏＣセッション開始要求（Ｓ４０５）及び非通知情報応答（Ｓ４０７、Ｓ４０９）で受信した非通知情報を記憶して、非通知設定判定を行い（Ｓ４１０）、非通知処理を行う（Ｓ４１１）。
図２１に移行し、ＰｏＣ通信サービス制御装置１０は、ＰｏＣセッション開始要求（ＩＮＶＩＴＥ）をＰｏＣ端末装置１２に向けて送信する（Ｓ４１２）。このとき、非通知に設定されているユーザアドレスについては、その対象者数の値が送信される。本例では、非通知対象者数は「２」として送信される。このＰｏＣセッション開始要求（ＩＮＶＩＴＥ）は、着側のＰｏＣ通信サービス制御装置１１０を経由してＰｏＣ端末装置１２に送られる（Ｓ４１３）。このＰｏＣセッション開始要求（ＩＮＶＩＴＥ）を受信したＰｏＣ端末装置１２では、非通知処理が行われる（Ｓ４１４）。本例では、ユーザＡ及びユーザＢについては、ユーザアドレスが表示される代わりに、非通知の旨が表示される。その後、ＰｏＣ端末装置１２からＰｏＣ通信サービス制御装置１１０を経由してＰｏＣ通信サービス制御装置１０へＰｏＣセッション開始応答が送信される（Ｓ４１５、Ｓ４１６）。
【００６４】
また、ＰｏＣ通信サービス制御装置１０は、ＰｏＣセッション開始要求（ＩＮＶＩＴＥ）をＰｏＣ端末装置１３に向けて送信する（Ｓ４１７）。このとき、上述と同様に、非通知に設定されているユーザアドレスについては、その対象者数の値が送信される。本例では、非通知対象者数は「２」として送信される。このＰｏＣセッション開始要求（ＩＮＶＩＴＥ）は、着側のＰｏＣ通信サービス制御装置１２０を経由してＰｏＣ端末装置１３に送られる（Ｓ４１８）。このＰｏＣセッション開始要求（ＩＮＶＩＴＥ）を受信したＰｏＣ端末装置１３では、非通知処理が行われる（Ｓ４１９）。本例では、ユーザＡ及びユーザＢについては、ユーザアドレスが表示される代わりに、非通知の旨が表示される。その後、ＰｏＣ端末装置１３からＰｏＣ通信サービス制御装置１２０を経由してＰｏＣ通信サービス制御装置１０へＰｏＣセッション開始応答が送信される（Ｓ４２０、Ｓ４２１）。
【００６５】
ＰｏＣ端末装置１２、ＰｏＣ端末装置１３からのＰｏＣセッション開始応答を受信したＰｏＣ通信サービス制御装置１０は、ＰｏＣセッション開始応答をＰｏＣ端末装置１１に送信する（Ｓ４２２）。これにより、ＰｏＣ端末装置１１では、ユーザＡ及びユーザＢのユーザアドレスについて、非通知処理が行われる（Ｓ４２３）。なお、ＰｏＣ端末装置１３のユーザアドレス（ユーザＣ）については、非通知に設定されていないので、非通知処理は行われない。その後、ＰｏＣ端末装置１１〜１３は、ＰｏＣ通信中となる（Ｓ４２４）。
【００６６】
ここで、図２２は、上記図２０及び図２１の場合における各ＰｏＣセッション発信者の端末装置の動作例を示すフローチャートである。同図において、最初に、ＰｏＣセッション発信者が端末装置を操作し、非通知対象者を選択する（ステップＳ４１）。そして、非通知設定条件を追加してＰｏＣセッション開始要求を送出する（ステップＳ４２）。
その後、ＰｏＣ通信サービス制御装置から応答があると、その応答に含まれている非通知情報の内容及び非通知対象ユーザの数の値を確認する（ステップＳ４３→Ｓ４４）。この確認の結果、非通知が設定されていれば、受信した非通知設定端末数に応じて非通知設定処理を実行する（ステップＳ４５→Ｓ４６）。これにより、非通知対象ユーザのアドレスを"非通知"表示とする（ステップＳ４７）。
【００６７】
なお、ステップＳ４３において応答が無い場合や、ステップＳ４５において非通知が設定されていない場合、処理はそのまま終了となる。
また、図２３は、上記図２０及び図２１の場合における各ＰｏＣセッション着信者の端末装置の動作例を示すフローチャートである。同図において、ＰｏＣセッション発信者側の端末からＰｏＣセッション開始要求を受信すると（ステップＳ４８）、その要求に含まれている非通知情報の内容及び非通知対象ユーザの数の値を確認する（ステップＳ４９）。この確認の結果、非通知が設定されていれば、受信した非通知設定端末数に応じて非通知設定処理を実行する（ステップＳ５０→Ｓ５１）。これにより、非通知対象ユーザのアドレスを"非通知"表示とする（ステップＳ５２）。
【００６８】
着信者の端末装置における非通知表示が完了したら、ＰｏＣセッション開始応答をＰｏＣ通信サービス制御装置へ送出する（ステップＳ５３）。
なお、ステップＳ４９の確認の結果、非通知が設定されていなければ、そのままＰｏＣセッション開始応答を送出する（ステップＳ５０→Ｓ５３）。
図２４は、上記図２０及び図２１の場合におけるＰｏＣセッションの開始要求／応答の送受信時におけるＰｏＣ通信サービス制御装置の非通知設定動作例を示すフローチャートである。同図において、非通知設定条件付きのＰｏＣセッション開始要求を受信すると（ステップＳ６１）、グループ通話のメンバーとして指定されているＰｏＣ端末装置のユーザアドレスについての非通知設定情報が複数のＰｏＣ通信サービス制御装置に跨って管理されているか判断する（ステップＳ６２）。複数のＰｏＣ通信サービス制御装置に跨って管理されている場合には、他のＰｏＣ通信サービス制御装置に非通知設定情報要求を送信し、ＰｏＣ端末装置のユーザアドレスについての非通知設定情報を確認して、非通知設定情報を含む非通知指令を取得する（ステップＳ６３）。非通知設定情報が複数のＰｏＣ通信サービス制御装置に跨って管理されていない場合は、他のＰｏＣ通信サービス制御装置への非通知設定情報要求は送信しない。
【００６９】
その後、ＰｏＣ通信サービス制御装置は、ＰｏＣセッション開始要求及び非通知設定情報要求に対する応答に含まれている非通知条件を記憶する（ステップＳ６４）。その後、非通知条件の確認及び判定を行う（ステップＳ６５）。
そして、非通知設定情報を更新する必要がある場合、非通知判定結果に基づき、非通知設定情報を更新した後（ステップＳ６６→Ｓ６７）、非通知設定情報を含んだＰｏＣセッション開始要求を全着信ユーザへ送出する（ステップＳ６８）。一方、非通知設定情報を更新する必要がない場合、更新せず、非通知設定情報を含んだＰｏＣセッション開始要求を全着信ユーザへ送出する（ステップＳ６６→Ｓ６８）。
【００７０】
ＰｏＣ通信サービス制御装置は、少なくとも一つのＰｏＣセッション開始応答を受信することができれば、着信者へ送出したときと同様の非通知設定情報をＰｏＣセッション開始応答に付加して発信者の端末装置へ送出する（ステップＳ６９→Ｓ７０）。なお、着信ユーザからの応答がない場合は、そのまま処理が終了となる。
【００７１】
（ＰｏＣ通信方法）
上述したＰｏＣ通信システムにおいては、以下のようなＰｏＣ通信方法が実現されている。すなわち、端末装置によるグループ通話を実現するＰｏＣグループセッションを行うＰｏＣ通信方法であって、上記ＰｏＣグループに含まれる端末装置に対応するユーザアドレスについて非通知にするための非通知指令を取得する非通知指令取得ステップと、上記非通知指令取得ステップにおいて取得した上記非通知指令に係るユーザアドレスを上記ＰｏＣグループに含まれる他の端末装置に対して非通知に設定するための非通知設定指令を該他の端末装置に送信する非通知設定ステップとを含むＰｏＣ通信方法が実現されている。このような構成によれば、グループメンバー全員、又は、グループの一部のユーザアドレスを、グループメンバー全員から隠す（非通知にする）ことができる。
【００７２】
そして、上記ＰｏＣグループに含まれる端末装置それぞれのユーザアドレスが非通知に設定されているかどうかを示す非通知設定情報が複数の装置に跨って管理されている場合、上記非通知指令取得ステップにおいては、それら複数の装置のうちいずれか１つの装置が他の装置から上記非通知設定情報を含む上記非通知指令を取得する。このように、非通知設定情報が複数のＰｏＣ通信サーバ装置に跨って管理されている場合、それら装置のうちの１つが他の装置から非通知設定情報を取得し、それを端末装置に送信すれば、通信サービス事業者が異なる端末装置との間でグループ通話を実現する場合でも非通知処理を実現できる。
【００７３】
また、上記非通知設定指令は、上記ＰｏＣグループセッションの開始前に、非通知に設定することを希望する端末装置から送信される場合がある。これにより、ＰｏＣグループセッションの開始前に、着信側となる端末装置から非通知に設定できる。
さらに、上記非通知設定指令は、上記ＰｏＣグループセッションの開始の際に、発信者側の端末装置から送信される場合が多い。これにより、ＰｏＣグループセッションの開始時にグループ内の任意のユーザアドレスについて非通知に設定できる。
【００７４】
なお、上記非通知設定指令は、上記ＰｏＣグループセッションによる通信中に、端末装置から送信される場合もある。これにより、ＰｏＣグループセッションの開始時において通知していたユーザアドレスを、その後に非通知に設定変更できる。
さらに、上記非通知設定指令は、例えば、ユーザアドレスと、上記ユーザアドレスを非通知に設定するか否かを示す識別子とを含んでいる。ユーザアドレスと共に、それを非通知に設定するか否かを示す識別子を送信することにより、ユーザアドレスについて非通知である旨を示す内容を端末装置において表示させることができる。
【００７５】
また、上記非通知設定指令は、ユーザアドレスと、上記ユーザアドレスの代わりに、各端末装置の表示画面に表示すべき内容を示すＤＩＳＰＬＡＹＮＡＭＥ情報とを含んでいてもよい。ユーザアドレスを表示する代わりに表示すべき内容を送信することにより、端末装置においてはその内容を単に表示させればよい。
なお、上記非通知設定指令は、上記ＰｏＣグループに含まれる端末装置に対応するユーザアドレスを含まず、非通知設定に設定されている端末の数を示す情報を含んでいてもよい。通知対象ユーザについてはユーザアドレスを送信するのに対し、非通知対象ユーザについてはユーザアドレス自体を送信しないので、ネットワークリソースの浪費を防止することができる。
【００７６】
（まとめ）
以上のように、本システムにおいては、自端末アドレス非通知要求に対する応答として非通知設定メッセージを受信した場合、非通知設定メッセージに含まれる情報を基に非通知対象者のアドレスは各ユーザからは見えないように表示する。そして、システムがケース１またはケース２のどちらの方式を採用しているかによって、非通知設定メッセージに含まれる非通知情報が異なり（図１（ｂ）、図２（ｂ）参照）、非通知情報に応じた処理を行う。
【００７７】
また、本システムでは、ＰｏＣ通信サービス制御装置が非通知設定要求を受ける形態として２通りある。それらは、ＰｏＣセッションを開始する際に端末装置から送出されるＰｏＣセッション開始要求を受信した場合、各ユーザが自身（自端末）のユーザアドレスを非通知にする際に送出される要求を受信した場合である。これらの要求に含まれる非通知情報をＰｏＣ通信サービス制御装置で記憶することで、どのユーザアドレスを非通知にするのかを判定することができる。
【００７８】
ＰｏＣ通信サービス制御装置は、ＰｏＣセッション開始要求あるいは自端末アドレス非通知設定のどちらか一方の方法で非通知にすることが求められていれば、そのユーザアドレスを非通知にする。また、ＰｏＣセッション開始要求による非通知設定は、発信ユーザがＰｏＣセッションから脱退するまでは変更しない。これは、サービス形態により、仮にユーザアドレスを明示的に通知する機能を端末装置が具備していても、発信者がＰｏＣセッション開始時に非通知にしたユーザアドレスを発信者以外のユーザの意思で勝手に非通知状態から通知状態に変更されることを防ぐためである。これらの判断基準により、ＰｏＣ通信サービス制御装置にて常に非通知状況を把握し、非通知設定情報を更新することができる。よって、発信者がセッションから脱退するまでは、結果的に図１０に示されている非通知設定が実現できる。
【００７９】
また、非通知設定に設定されている端末については、ユーザアドレスを送信する代わりに、その端末数を示す情報を送信すれば、非通知対象ユーザについてはユーザアドレス自体を送信しないので、ネットワークリソースの浪費を防止することができる。
非通知設定情報が複数の装置に跨って管理されている場合、それら複数の装置のうちいずれか１つの装置が他の装置から非通知設定情報を取得し、それを端末装置に送信すれば、通信サービス事業者が異なる端末装置との間でグループ通話を実現する場合でも非通知処理を実現できる。
【００８０】
（請求項の記載に関する別の態様）
請求項の記載に関し、本発明は更に以下の態様を採り得る。
（１）端末装置によるグループ通話を実現するＰｏＣグループセッションを行うＰｏＣ通信システムであって、上記ＰｏＣグループに含まれる端末装置に対応するユーザアドレスについて非通知にするための非通知指令を取得する非通知指令取得手段と、上記非通知指令取得手段が取得した上記非通知指令に係るユーザアドレスを上記ＰｏＣグループに含まれる他の端末装置に対して非通知に設定するための非通知設定指令を該他の端末装置に送信する非通知設定手段とを含むことを特徴とするＰｏＣ通信システム。このような構成によれば、グループメンバー全員、又は、一部のユーザのアドレスを、グループメンバー全員から隠す（非通知にする）ことができる。
【００８１】
（２）上記非通知設定指令は、上記ＰｏＣグループセッションの開始前に、非通知に設定することを希望する端末装置から送信されることを特徴とする（１）項記載のＰｏＣ通信システム。このような構成によれば、ＰｏＣグループセッションの開始前に、着信側となる端末装置から非通知に設定できる。
（３）上記非通知設定指令は、上記ＰｏＣグループセッションの開始の際に、発信者側の端末装置から送信されることを特徴とする（１）項記載のＰｏＣ通信システム。このような構成によれば、ＰｏＣグループセッションの開始時にグループ内の任意のユーザアドレスについて非通知に設定できる。
（４）上記非通知設定指令は、上記ＰｏＣグループセッションによる通信中に、端末装置から送信されることを特徴とする（１）項記載のＰｏＣ通信システム。このような構成によれば、ＰｏＣグループセッションの開始時には通知していたユーザアドレスを、その後に非通知に設定変更できる。
【００８２】
（５）上記非通知設定指令は、上記ユーザアドレスを非通知に設定することを示す非通知識別子を含み、
上記非通知設定手段は、上記非通知識別子の内容が上記ユーザアドレスを非通知に設定することを示す内容である場合、該ユーザアドレスを画面に表示しないことを特徴とする（１）項から（４）項までのいずれか１項に記載のＰｏＣ通信システム。このような構成によれば、高機能な端末装置を利用し、グループメンバー全員、又は、グループの一部のユーザアドレスを、グループメンバー全員から隠す（非通知にする）ことができる。
【００８３】
（６）上記非通知設定指令は、端末装置において画面に表示すべき表示内容を含み、
上記非通知設定手段は、上記表示内容を、非通知である旨を示す内容に書き替えることを特徴とする（１）項から（４）項までのいずれか１項に記載のＰｏＣ通信システム。このような構成によれば、高機能なＰｏＣ通信サービス制御装置を利用し、グループメンバー全員、又は、グループの一部のユーザアドレスを、グループメンバー全員から隠す（非通知にする）ことができる。
【産業上の利用可能性】
【００８４】
本発明は、端末装置をトランシーバのように利用するＰｏＣ通信を実現する場合に利用できる。
【図面の簡単な説明】
【００８５】
【図１】ＰｏＣ端末装置が非通知処理を実施した場合の概念図である。
【図２】ＰｏＣ通信サービス制御装置が非通知処理を実施した場合の概念図である。
【図３】ＰｏＣ通信サービス制御装置の機能構成例を示す図である。
【図４】ＰｏＣ端末装置の機能構成例を示す図である。
【図５】発信者のＰｏＣ端末装置動作例を示すフローチャートである。
【図６】着信者のＰｏＣ端末装置動作例を示すフローチャートである。
【図７】自端末のアドレスについて非通知設定要求を送出した場合の動作例を示すフローチャートである。
【図８】ＰｏＣセッション開始要求／応答の送受信時における非通知設定動作例を示すフローチャートである。
【図９】自端末アドレス非通知設定要求／応答（非通知設定メッセージ）の送信時における非通知設定動作例を示すフローチャートである。
【図１０】ユーザアドレスが非通知設定される条件を示すテーブルである。
【図１１】ユーザアドレスの非通知処理をＰｏＣ端末装置が実施した場合の一例を示すフローシーケンスである。
【図１２】ＰｏＣセッション確立後に自端末のユーザアドレスを非通知設定にした場合の一例を示すフローシーケンスである。
【図１３】ユーザアドレスの非通知処理をＰｏＣ通信サービス制御装置が実施した場合の一例を示すフローシーケンスである。
【図１４】ＰｏＣセッション確立後に自端末のユーザアドレスを非通知設定にした場合の一例を示すフローシーケンスである。
【図１５】ユーザアドレスの非通知処理をＰｏＣ端末装置が実施した場合の動作の一例を説明する図である。
【図１６】非通知対象ユーザ数の送信することによる非通知処理を実施した場合の概念図である。
【図１７】複数のＰｏＣ通信サービス制御装置でＰｏＣ通信サービスを実現する場合における非通知処理を示す概念図である。
【図１８】ケース１において、非通知設定情報が複数のＰｏＣ通信サーバ装置に跨って管理されている場合の非通知処理の一例を示すフローシーケンスの一部である。
【図１９】ケース１において、非通知設定情報が複数のＰｏＣ通信サーバ装置に跨って管理されている場合の非通知処理の一例を示すフローシーケンスの一部である。
【図２０】ケース３において、非通知設定情報が複数のＰｏＣ通信サーバ装置に跨って管理されている場合の非通知処理の一例を示すフローシーケンスの一部である。
【図２１】ケース３において、非通知設定情報が複数のＰｏＣ通信サーバ装置に跨って管理されている場合の非通知処理の一例を示すフローシーケンスの一部である。
【図２２】図２０及び図２１の場合における各ＰｏＣセッション発信者の端末装置の動作例を示すフローチャートである。
【図２３】図２０及び図２１の場合における各ＰｏＣセッション着信の端末装置の動作例を示すフローチャートである。
【図２４】図２０及び図２１の場合におけるＰｏＣセッションの開始要求／応答の送受信時におけるＰｏＣ通信サーバ装置の非通知設定動作例を示すフローチャートである。
【符号の説明】
【００８６】
１０、１１０、１２０ 通信サービス制御装置
１０ａ 非通知指令取得手段
１０ｂ 非通知設定手段
１１〜１３ ＰｏＣ端末装置
１１ａ 非通知指令送信手段
１１ｂ 表示制御手段
２０、３０、４０ パケット
２１ 識別子
２２、３２ ユーザＩＤ
３１ ＤＩＳＰＬＡＹＮＡＭＥ
【図１】
0004705669.tif 000002
【図２】
0004705669.tif 000003
【図３】
0004705669.tif 000004
【図４】
0004705669.tif 000005
【図５】
0004705669.tif 000006
【図６】
0004705669.tif 000007
【図７】
0004705669.tif 000008
【図８】
0004705669.tif 000009
【図９】
0004705669.tif 000010
【図１０】
0004705669.tif 000011
【図１１】
0004705669.tif 000012
【図１２】
0004705669.tif 000013
【図１３】
0004705669.tif 000014
【図１４】
0004705669.tif 000015
【図１５】
0004705669.tif 000016
【図１６】
0004705669.tif 000017
【図１７】
0004705669.tif 000018
【図１８】
0004705669.tif 000019
【図１９】
0004705669.tif 000020
【図２０】
0004705669.tif 000021
【図２１】
0004705669.tif 000022
【図２２】
0004705669.tif 000023
【図２３】
0004705669.tif 000024
【図２４】
0004705669.tif 000025